(57)【要約】【課題】フィルタ容器を、移動可能、かつ強固に保持することが可能なフィルタ保持装置が求められる。【解決手段】フィルタ容器を摺動方向に移動可能に保持する可動状態と、フィルタ容器を固定する固定状態とをもってフィルタ容器の保持装置であって、前記摺動方向と垂直方向な固定方向に第一の幅を持って前記摺動方向に延在する溝を有するベースユニットと、前記フィルタ容器を挟持するアームと、幅が調整可能に弾力性を有する２つの爪と、前記爪のそれぞれの先端においてそれぞれに対して反対側に突出した突起と、を有する保持アダプタと、を備えるフィルタ容器保持装置により解決する。【選択図】図１
2019166444.tif 000002
【特許請求の範囲】
【請求項１】
フィルタ容器を摺動面に対して、一の摺動方向に移動可能な可動状態と、フィルタ容器を前記摺動面に対して固定する固定状態と、を有するフィルタ容器の保持装置であって、その保持装置は、
前記摺動方向に垂直な固定方向に第一の幅を持って、前記摺動面に対して垂直に延在する２つの面を有するベースユニットと、
間隔を持って対向して配置される２つの爪と、前記フィルタ容器を挟持するアームと有する保持アダプタと、を備え、
前記２つの爪は、前記２つの面の間に挿入可能となるように前記第一の幅より小さく狭めることが可能な弾性を有し、前記第一の幅より小さく狭められているときに前記保持アダプタは前記可動状態にあって、
前記２つの爪のそれぞれは、前記固定状態において前記固定方向に広がって前記２つの面に接することで前記２つの爪のそれぞれと前記２つの面との摩擦により前記保持アダプタが前記摺動面に対して固定されるフィルタ容器保持装置。
【請求項２】
請求項１に記載したフィルタ容器保持装置であって、
前記ベースユニットは前記一の摺動方向に延在するように前記第一の幅で前記摺動面である縁壁の切り欠きとして形成される溝を有し、前記ベースユニットの前記２つの面のそれぞれは前記切り欠きの対向する縁壁の端面であるフィルタ容器保持装置。
【請求項３】
請求項１に記載したフィルタ容器保持装置であって、
前記ベースユニットの前記２つの面は、前記摺動面に対して垂直な２つの縁壁の内面であるフィルタ容器保持装置。
【請求項４】
請求項１に記載したフィルタ容器保持装置であって、
前記保持アダプタの前記２つの爪のそれぞれは、円弧形状の弾力生成部に取り付けられていて、その円弧形状の曲率が変化することで前記２つの爪の前記幅が変化するフィルタ容器保持装置。
【請求項５】
請求項２に記載したフィルタ容器保持装置であって、
前記保持アダプタは、前記２つの爪と前記アームとの間に前記摺動面と対向するように延在する押さえ板を有し、
前記押さえ板を前記固定方向に押すことで、前記２つの爪の間隔を変化するフィルタ容器保持装置。
【請求項６】
請求項５に記載したフィルタ容器保持装置であって、
前記固定状態において、前記保持アダプタは、前記押さえ板が前記摺動面を押さえつけるフィルタ容器保持装置。
【請求項７】
請求項６に記載したフィルタ容器保持装置であって、
前記押さえ板は弾性部材を有し、前記固定状態において、前記弾性部材は前記押さえ板と前記摺動面との間に位置するフィルタ容器保持装置。
【発明の詳細な説明】
【技術分野】
【０００１】
本願発明は、フィルタ容器保持装置に関する。
【背景技術】
【０００２】
流体の濾過を目的とした管路では、その管路の一部に、フィルタ等が内蔵され、脱着して交換が可能な交換ユニットとしてのフィルタ容器が配置される。このような管路では、上流側の管路の端部と下流側の管路の端部との間に、管路の一部を欠いていて、フィルタ容器は、この上流側の管路の端部と下流側の管路の端部との間に、脱着可能に取り付けることが可能な構造を有している。たとえば、所定量の濾過が終了した際などに、寿命が経過したフィルタ容器は取り外されて、新しいフィルタ容器に交換される。
【０００３】
フィルタ容器は、流路入口と流路出口を有し、フィルタ容器内部において、その流路入口と流路出口との間に流路が形成される。その流路の途中にフィルタが配置され、そのフィルタで流路内の流体に含まれる粒子を捕捉する。従来、一般には、上流側の管路の端部と下流側の管路の端部は、マニホールドの一部として構成されていて、交換ユニットがマニホールドに取り付けられると、交換ユニットの流路入口が上流側管路の端部と接合し、流路出口が下流側管路の端部と接合する。これで、一部を欠いている管路に交換ユニットの流路が結合され、流れ回路システムの管路が完成する。
【０００４】
特許文献１には、既設管路の一部として、脱着して交換が可能なフィルタ容器の一例が開示されている。特許文献１では、マニホールドの上流側の管路の端部と下流側の管路の端部との間に、フィルタ容器の管路接合部を中心にフィルタ容器を回転動作で嵌め込むように取り付けられる。特許文献１では、フィルタ容器が取り付けるための上流側の管路の端部と下流側の管路の端部との間の距離が不変であるため、上流側の管路の端部と下流側の管路の端部との間の距離より長いフィルタ容器を嵌め込んで固定している。
【０００５】
これに対し、特許文献２には、流し台で使用される浄水器カートリッジが開示されている。ここでは、上流側の管路の端部と下流側の管路の端部との間にフィルタ容器を入れて、流路軸に沿ってスライド可能な剛性の高いスリーブ管を浄水器カートリッジに伸ばして固定する装置が開示されている。すなわち、特許文献２では、フィルタ容器が取り付けるための管路の上流側の管路の端部と下流側の管路の端部との間の距離が可変の例である。特許文献２では、剛性の高い上流側の管路の端部を流路軸に沿ってスライドさせて、上流側の管路の端部と下流側の管路の端部との間の距離を縮めるとともに、フィルタ容器の流路入口と流路出口とを挟持して固定している。
【先行技術文献】
【特許文献】
【０００６】
【特許文献１】特許４７２３５３１号公報
【特許文献２】特開平３−１２３６８９号公報
【発明の概要】
【発明が解決しようとする課題】
【０００７】
フィルタ容器の種類型式の違いのため、または同形式内でのフィルタ容器の製造公差のために、フィルタ容器の流路入口と流路出口の長さはばらついている。したがって、特許文献２のように、フィルタ容器の取り付けるための管路の上流側の管路の端部と下流側の管路の端部との間の距離が可変とできれば便利である。そして、さらに、上流側の管路の端部と下流側の管路の端部とを剛性が低く柔軟なフレキシブルチューブとすることができれば、非常に便利である。しかし、上流側の管路の端部と下流側の管路の端部とを剛性が低く柔軟なフレキシブルチューブとするためには、フィルタ容器を適切に支持した上で、位置の調整がしやすいフィルタ容器の可動保持装置が必要となる。
【課題を解決するための手段】
【０００８】
フィルタ容器を摺動面に対して、一の摺動方向に移動可能な可動状態と、フィルタ容器を前記摺動面に対して固定する固定状態と、を有するフィルタ容器の保持装置であって、その保持装置は、前記摺動方向に垂直な固定方向に第一の幅を持って、前記摺動面に対して垂直に延在する２つの面を有するベースユニットと、間隔を持って対向して配置される２つの爪と、前記フィルタ容器を挟持するアームと有する保持アダプタと、を備え、前記２つの爪は、前記２つの面の間に挿入可能となるように前記第一の幅より小さく狭めることが可能な弾性を有し、前記第一の幅より小さく狭められているときに前記保持アダプタは前記可動状態にあって、前記２つの爪のそれぞれは、前記固定状態において前記固定方向に広がって前記２つの面に接することで前記２つの爪のそれぞれと前記２つの面との摩擦により前記保持アダプタが前記摺動面に対して固定されるフィルタ容器保持装置により解決する。
【発明の効果】
【０００９】
本発明により、移動可能、かつフィルタ容器を強固に保持することが可能なフィルタ保持装置が実現される。
【図面の簡単な説明】
【００１０】
【図１】本発明が適用される実施の形態１のフィルタ保持装置を示している。
【図２Ａ】本発明が適用される実施の形態１のフィルタ保持装置の固定状態の保持アダプタの断面を示した図である。
【図２Ｂ】本発明が適用される実施の形態１のフィルタ保持装置の装着状態の保持アダプタの断面を示した図である。
【図２Ｃ】本発明が適用される実施の形態１のフィルタ保持装置の可動状態の保持アダプタの断面を示した図である。
【図３】本発明が適用される実施の形態２のフィルタ保持装置を示している。
【図４Ａ】本発明が適用される実施の形態２のフィルタ保持装置の固定状態の保持アダプタの断面を示した図である。
【図４Ｂ】本発明が適用される実施の形態２のフィルタ保持装置の装着状態の保持アダプタの断面を示した図である。
【図４Ｃ】本発明が適用される実施の形態２のフィルタ保持装置の可動状態の保持アダプタの断面を示した図である。
【図４Ｄ】本発明が適用される実施の形態２のフィルタ保持装置の固定状態の保持アダプタであって、別の形態の弾力生成部を示した図である。
【発明を実施するための形態】
【００１１】
（実施の形態１）
図１および図２Ａから図２Ｃを参照して、本発明の実施の形態１について説明する。図１は、本発明のフィルタ容器保持装置１を示している。フィルタ容器保持装置１は、ベースユニット２と保持アダプタ３とを備えている。フィルタ容器保持装置１は、保持アダプタ３でフィルタ容器４を保持するとともに、保持アダプタ３をベースユニット２に固定し、また一の方向に摺動するように移動が可能となるようにすることでフィルタ容器４をベースユニット２に保持する装置である。図２Ａおよび図２Ｂは、図１の方向Ａから示した図である。図２Ａは、保持アダプタ３のベースユニット２への固定状態を示した図である。図２Ｂは、保持アダプタ３のベースユニット２への装着状態を示した図である。図２Ｃは、保持アダプタ３のベースユニット２への可動状態を示した図である。本明細書では、すべての実施の形態において、その移動方向を「摺動方向」とよぶ。摺動方向に垂直方向であって、保持アダプタ３をベースユニット２に押し込んで装着する方向を「装着方向」とよぶ。また、同様に、すべての実施の形態において、保持アダプタ３をベースユニット２に取り付けている最中の状態を「装着状態」と、保持アダプタ３がベースユニット２に固定されている状態を「固定状態」と、保持アダプタ３がベースユニット２の上を摺動する状態を「可動状態」と、よぶ。
【００１２】
ベースユニット２はフィルタ容器４を保持する保持部材として、濾過を行う流体の管路回路の一部に配置される。管路回路は、第一管路端部１１と第二管路端部１２との間で欠損しており、そこにフィルタ容器４が配置される。フィルタ容器４は、流路入口４ａと流路出口４ｂを有し、フィルタ容器４の内部において、流路入口４ａと流路出口４ｂとの間に流路が形成される。流路入口４ａが第一管路端部１１と接続し、流路出口４ｂが第二管路端部１２と接続して、流路の欠損部をフィルタ容器４の内部の流路が補って管路回路が完成する第一管路端部１１と第二管路端部１２はそれぞれフレキシブルチューブ等であって、位置が可変である。たとえば、ねじで螺嵌して結合される。フィルタ容器４は、保持アダプタ３に接続されて、ベースユニット２に取り付けられる。
【００１３】
ベースユニット２は少なくとも一方向に長く延在する摺動面２４を有する部材であって、たとえば柱状の部材である。ベースユニット２は壁状の部材であってもよい。ベースユニット２は、内部は壁面で画定される空洞状の空間２２を形成している。ベースユニット２は代表的にはアルミなどの押し出しで形成された金属とすることができる。内部に壁面を支える支柱部があってもよい。空間２２の位置、形状はさまざまな形態を選択することができる。その壁面のうちの一つの壁面である縁壁２１には第一の幅ｄで直線的に長く延在するように穿設された開口たる溝２３が形成されている。溝２３の延在する方向が摺動方向であり、溝２３を有する面が摺動面２４となる。すなわち、溝２３は、摺動方向に向かった断面において、装着方向に厚さｔの縁壁２１が第一の幅ｄをもって切り欠かかれていて、この切り欠きが、溝２３を有する縁壁２１の内部の空間２２と連通していて、摺動方向に垂直な固定方向、すなわち縁壁２１の厚さｔの方向に第一の幅ｄを持って摺動面２４に対して垂直に延在する対向する２つの面２１ａ，２１ｂを形成している。すなわち、２つの面２１ａ，２１ｂは、摺動面２４である縁壁２１の切り欠きであって、２つの面２１ａ，２１ｂのそれぞれは切り欠きの対向する縁壁２１である。ベースユニット２の溝２３が延在する方向（摺動方向）と垂直である第一の幅ｄの方向を「固定方向」とよぶ。保持アダプタ３は、フィルタ容器４を摺動面２４上で、一の摺動方向に移動可能な可動状態と、フィルタ容器４を前記摺動面上で固定する固定状態と、になるようにベースユニット２に取り付けられる。前記ベースユニットは前記一の摺動方向に延在するように第一の幅ｄを有する摺動面２４である縁壁２１の切り欠きとして形成される溝２３を有し、２つの面２１ａ，２１ｂのそれぞれは溝２３を形成する切り欠きの対向する縁壁２１の端面である。
【００１４】
保持アダプタ３は、アーム３１と、２つの爪３２とを備えている。保持アダプタ３は、たとえば金属または樹脂でできていて、幾何形状的に、または材料的に、さらにはそれらの組み合わせによって、弾力性を生じるようになっている。幾何形状的に弾性力を有するとは、弾力を生じる形状を付加することで構造的に弾力性を有することである。材料的に弾性力を有するとは、フィルタ容器４の断面は少なくとも一部に少なくとも円弧などの曲面を有する形状であり、代表的には円形状である。アーム３１の態様としては、たとえば、２つのアーム３１ａ、３１ｂを具備していて、アーム３１ａとアーム３１ｂとで形成されるアーム３１の内周の形状はフィルタ容器４の外周とほぼ同じ円を構成する円弧を有している。アーム３１ａとアーム３１ｂとの間隔は、フィルタ容器４の直径より小さい。フィルタ容器４をアーム３１ａとアーム３１ｂとの間に嵌め込む際には、保持アダプタ３の可塑性による弾性力でアーム３１ａとアーム３１ｂとの間隔は、フィルタ容器４をその間隔に押し込むことで、フィルタ容器４の直径よりも大きくなるように変形可能である。フィルタ容器４がアーム３１ａとアーム３１ｂとの間に収まった後には、アーム３１ａとアーム３１ｂとで形成されるアーム３１の内周の形状はフィルタ容器４の外周の形状に戻る。弾性変形で、アーム３１ａとアーム３１ｂのそれぞれの円弧形状の曲率が弾性変化によって変化することで、フィルタ容器４がアーム３１ａとアーム３１ｂとの間を通過可能となる上、アーム３１ａとアーム３１ｂとによりフィルタ容器４を保持可能となる。たとえば、フィルタ容器４の断面が円の形状の場合には、アーム３１ａとアーム３１ｂとの内面の形状を、それぞれ、フィルタ容器４の断面の円の一部である円弧の形状とすることが好ましい。これにより、アーム３１ａとアーム３１ｂとがフィルタ容器４を保持する際に、アーム３１ａとアーム３１ｂがフィルタ容器４の形状に合致するように狭まって、アーム３１ａとアーム３１ｂでフィルタ容器４強固に保持することが可能となる。
【００１５】
保持アダプタ３のアーム３１と反対側には、アーム３１と反対側に延出する互いに対向するように配置される２つの爪３２ａ，３２ｂを有している。２つの爪３２ａ，３２ｂの形状は装着状態を仮定したときに、次の外形形状を有している。２つの爪３２ａ，３２ｂは、保持アダプタ３の可塑性による弾性力で変形し、それぞれの間隔を狭めることが可能となっている。２つの爪３２ａ，３２ｂの固定方向の外側の面の間隔が２つの面２１ａ，２１ｂの間に挿入可能となるように第一の幅ｄより小さく狭めることが可能な弾性を有するような材料で形成されている。２つの爪３２ａ，３２ｂの固定方向の外側の面の間隔が第一の幅ｄより小さく狭められているときに保持アダプタ３は可動状態にある。固定状態では、２つの爪３２ａ，３２ｂが溝２３の縁壁２１の２つの面２１ａ，２１ｂを固定方向に押圧するように２つの爪３２ａ，３２ｂが第一の幅ｄよりも大きく広がるように作動する。すなわち、２つの爪３２ａ，３２ｂのそれぞれが、固定状態において、固定方向に広がって２つの面２１ａ，２１ｂに接することで、２つの爪３２ａ，３２ｂのそれぞれと２つの面２１ａ，２１ｂとの摩擦により保持アダプタ３が摺動面２４上で固定される（図２Ａ）。
【００１６】
２つの爪３２ａ，３２ｂのそれぞれの先端には、それぞれに対向する側と反対側（外側）の方向、すなわち、固定方向に溝２３から離れる方向に突出した突起３３ａ，３３ｂとを有している。通常の状態では、突起３３ａ，３３ｂの先端の間隔は固定方向に第一の幅ｄよりも大きな幅となっている。２つの爪３２ａ，３２ｂは、装着状態においては、突起３３ａ，３３ｂの先端の間隔が固定方向に第一の幅ｄよりも小さな幅となるように変形させることが可能である。そして、固定状態は、通常の状態と同じように、突起３３ａ，３３ｂの先端の間隔は固定方向に第一の幅ｄよりも大きな幅に戻るようになっている。これにより、通常の状態（ベースユニット２に保持アダプタ３を装着する前の状態）では２つの爪３２ａと３２ｂは、溝２３の第一の幅ｄよりも大きいため装着できないが、装着状態では２つの爪３２ａと３２ｂを変形させることにより突起３３ａ，３３ｂの先端の間隔を溝２３の第一の幅ｄより小さく変化させて溝２３の中に２つの爪３２ａ，３２ｂを突起３３ａ，３３ｂとともに挿入することが可能となる（図２Ｂ）。固定状態では、２つの爪３２ａ，３２ｂのそれぞれと２つの面２１ａ，２１ｂとの摩擦により保持アダプタ３が摺動面２４上で固定されるのに加えて、突起３３ａ，３３ｂの先端の間隔が固定方向に第一の幅ｄよりも大きな幅に戻るため、突起３３ａ，３３ｂの先端が溝２３の縁壁２１に抜けないようになっている。保持アダプタ３は、その弾力性を、２つの爪３２ａ，３２ｂの箇所において強く喚起するために、円弧形状の弾力生成部Ｐ有している。２つの爪３２ａ，３２ｂのそれぞれは、この弾力生成部Ｐの円弧形状の両端部付近に配置され円弧形状の曲率が変化することで弾性変形により、２つの爪３２ａ，３２ｂの間隔が変化するようになっている。
【００１７】
保持アダプタ３の２つの爪３２ａと３２ｂのそれぞれは、固定方向に溝２３から離れる方向に延在する押さえ板３４ａ，３４ｂをそれぞれ有している。押さえ板３４ａ，３４ｂは、２つの爪３２ａ，３２ｂのそれぞれにおいて、保持アダプタ３の２つの爪３２ａ，３２ｂと、アーム３１との間に摺動面２４と対向するように延在する。押さえ板３４ａ，３４ｂが摺動面２４に対して延在する方向は、保持アダプタ３の可塑性による弾性力に応じて変化する。押さえ板３４ａ，３４ｂを固定方向に押すことで、２つの爪３２ａ，３２ｂの間隔を変化させることが可能である。
【００１８】
押さえ板３４ａ，３４ｂは、２つの爪３２ａ，３２ｂの変形を喚起するためのみでなく、固定状態において、押さえ板３４ａ，３４ｂがベースユニット２の外側から摺動面２４を押圧するようになっている。これにより、２つの爪３２ａ，３２ｂと２つの面２１ａ，２１ｂとの間の摩擦力に加え、押さえ板３４ａ，３４ｂと摺動面２４を押す保持アダプタ３がベースユニット２に強固に固定されるようになっている（図２Ａ）。
【００１９】
摺動状態では、押さえ板３４ａ，３４ｂのそれぞれを溝２３の第一の幅ｄの方向に押して、押さえ板３４ａ，３４ｂを互いに近づけるように変形させることで２つの爪３２ａ，３２ｂとの間隔が縮まる。これにより、ベースユニット２の内側の空間２２の中に２つの爪３２ａ，３２ｂが挿入されている状態であるが、２つの爪３２ａ，３２ｂが２つの面２１ａ，２１ｂから離れる（図２Ｃ）。これにより、摺動状態では、２つの爪３２ａ，３２ｂと２つの面２１ａ，２１ｂとの間の摩擦力が解除するとともに、押さえ板３４ａ，３４ｂのベースユニット２の外側から縁壁２１への押圧も解除するようになっている。この状態では、保持アダプタ３はベースユニット２に対して、摺動方向に摺動可能となるものである。
【００２０】
保持アダプタ３は、固定状態において、２つの爪３２ａ，３２ｂが２つの面２１ａ，２１ｂを押圧することによる摩擦力でベースユニット２の任意の位置に固定される。さらに、このとき、押さえ板３４ａ，３４ｂの形状を、２つの爪３２ａ，３２ｂが２つの面２１ａ，２１ｂを押圧する変形と同時に、押さえ板３４ａ，３４ｂが摺動面２４に押さえつけられるような形にしておけば、２つの爪３２ａ，３２ｂが２つの面２１ａ，２１ｂを押圧することによる摩擦力に加えて、押さえ板３４ａ，３４ｂが摺動面２４を押さえつける摩擦力で、さらに強固にベースユニット２の任意の位置に固定することが可能となる。また、押さえ板３４ａ，３４ｂのそれぞれには、装着状態において、押さえ板３４ａ，３４ｂのベースユニット２側となる面には、エラストマー材のような弾性部材３５ａ，３５ｂが配置させることができる。これにより、固定状態において、押さえ板３４ａ，３４ｂがベースユニット２の外側から縁壁２１を押圧する際に、さらに摩擦力を高めて押圧力をさらに高めることができる。
【００２１】
（実施の形態２）
図３および図４Ａから図４Ｃを参照して、本発明の実施の形態２について説明する。図３は、本発明のフィルタ容器保持装置１を示している。フィルタ容器保持装置１は、ベースユニット２と保持アダプタ５とを備えている。フィルタ容器保持装置１は、保持アダプタ５でフィルタ容器４を保持するとともに、保持アダプタ５をベースユニット２に固定し、また一の方向に摺動するように移動が可能となるようにする点で実施の形態１と同様である。図４Ａおよび図４Ｂは、図３の方向Ｂからみた断面図である。図４Ａは、保持アダプタ５のベースユニット２への固定状態の断面を示した図である。図４Ｂは、保持アダプタ５のベースユニット２への装着状態の断面を示した図である。図４Ｃは保持アダプタ５のベースユニット２への装着状態の断面を示した図である。実施の形態２の以下の説明において、実施の形態１と異なる点について、特に説明を行い、実施の形態１と同じ点については割愛する。
【００２２】
実施の形態２のベースユニット２は少なくとも一方向に長く延在する摺動面２４を有する部材であって、たとえば柱状の部材である。ベースユニット２は壁状の部材であってもよい。ベースユニット２は、内部は壁面で画定される空洞状の空間２２を形成している。ベースユニット２は代表的にはアルミなどの押し出しで形成された金属とすることができる。内部に壁面を支える支柱部があってもよい。空間２２の位置、形状はさまざまな形態をとることができる。その壁面のうちの一つの壁面である縁壁２１の表面を摺動面２４とする。保持アダプタ５は、摺動面２４の上を摺動する。実施の形態２では、摺動面２４に対して垂直に延在する２つの縁壁２５，２６がある。２つの縁壁２５，２６は内部に摺動面２４に対して垂直な２つの面２５ａ，２６ａを有している。２つの面２５ａ，２６ａの面間距離は実施の形態２において第一の幅ｄとなる。２つの縁壁２５，２６は、摺動面２４から離れた位置にそれぞれ開口２５ｂ，２６ｂを形成するような壁端部を有している。この開口２５ｂを介して縁壁２５の外側から面２５ａに到達可能となっている。同様に、開口２６ｂを介して縁壁２６の外側から面２６ａに到達可能となっている。開口２５ｂ，２６ｂは一の方向に延在するような形状であって、この方向が摺動方向となる。
【００２３】
保持アダプタ５は、アーム３１と、２つの爪３７ａ，３７ｂとを備えている。保持アダプタ５は、実施の形態１と同様に、たとえば金属または樹脂でできていて、幾何形状的にまたは材料的に弾力性を有する。フィルタ容器４の断面は少なくとも一部に少なくとも円弧などの曲面を有する形状であり、代表的には円形状である。フィルタ容器４の断面は実施の形態１と同様である。アーム３１は、実施の形態１と同様であり、たとえば２つのアーム３１ａ、３１ｂを具備している。アーム３１ａ、３１ｂは、フィルタ容器４を挟持する。アーム３１ａとアーム３１ｂの構成および機能は実施の形態１と全く同じであるのでここでは説明を割愛する。アーム３１は、２つの爪３７ａ，３７ｂと反対側に支持板３８に配置されている。支持板３８は、ベースユニット２に取り付けられた際に摺動面２４とほぼ並行になるように配置される。
【００２４】
保持アダプタ５には、２つの爪３７ａ，３７ｂが配置されている。保持アダプタ５の支持板３８には、たとえば、側板３６ａ，３６ｂが、支持板３８の面外方向に支持板３８から延出するように配置される。２つの爪３７ａ，３７ｂは、たとえば、側板３６ａ，３６ｂの先端側（支持板３８と反対側）に固定されている。支持板３８ａと支持板３８ｂとの間には、弾力生成部Ｐを配置して、弾力生成部Ｐの変形により、側板３６ａ，３６ｂの向きが変化するように、側板３６ａ，３６ｂを変形させることができ、側板３６ａ，３６ｂの変形に応じて、２つの爪３７ａ，３７ｂの角度を以下のように変化させることができる。側板３６ａ，３６ｂの幅は大きくなる方向に付勢されていて、これに応じて２つの爪３７ａ，３７ｂの幅も大きくなるように付勢されている。
【００２５】
保持アダプタ５のベースユニット２への固定状態において、２つの爪３７ａ，３７ｂは、ベースユニット２の開口２５ｂ，２６ｂからベースユニット２の内部の空間２２に挿入された状態となっている。２つの爪３７ａ，３７ｂの幅は、大きくなるように付勢されているので、２つの爪３７ａ，３７ｂは、２つの面２５ａ，２６ａを、２つの面２５ａ，２６ａの内側から押圧する（図４Ａ）。すなわち、この固定状態において、２つの爪３７ａ，３７ｂのそれぞれが固定方向に広がって、２つの爪３７ａ，３７ｂのそれぞれの間隔が第一の幅ｄよりも大きくなって、２つの面２５ａ，２６ａのそれぞれに圧接する。これによって、２つの爪３７ａ，３７ｂのそれぞれと２つの面２５ａ，２６ａとの間に生じる摩擦力によりアーム３１が摺動面２４の面の法線方向に位置する状態で保持アダプタ５が固定される。
【００２６】
側板３６ａ，３６ｂは、保持アダプタ５のベースユニット２への装着状態において、支持板３８に固定されている箇所と反対側の側板３６ａ，３６ｂの端部がベースユニット２への２つの縁壁２５，２６の幅よりも大きくなるように、側板３６ａ，３６ｂは開くように変形可能である（図４Ｂ）。側板３６ａ，３６ｂの端部がベースユニット２への２つの縁壁２５，２６の幅よりも大きい状態では、側板３６ａ，３６ｂの端部が２つの縁壁２５，２６に沿って支持板３８が摺動面２４に近づく方向にベースユニット２に向かって進行可能となり、保持アダプタ５をベースユニット２に装着することができるようになる。側板３６ａ，３６ｂの端部が開口２５ｂ，２６ｂに到達すると、それまで２つの縁壁２５，２６の外側にあった２つの爪３７ａ，３７ｂが開口２５ｂ，２６ｂを介してベースユニット２の内部の空間２２に挿入可能となる。ここで側板３６ａ，３６ｂの幅を縮めて２つの爪３７ａ，３７ｂを開口２５ｂ，２６ｂの中に挿入して、２つの爪３７ａ，３７ｂの位置を２つの縁壁２５，２６の内面である２つの面２５ａ，２６ａの位置に合わせると、２つの爪３７ａ，３７ｂの幅が大きくなる方向へ付勢されていることで、２つの爪３７ａ，３７ｂが２つの面２５ａ，２６ａを押圧して前記の固定状態（図４Ａ）になる。
【００２７】
側板３６ａ，３６ｂは、固定状態から、または装着状態から、可動状態に移行するには以下のとおりとなる。保持アダプタ５のベースユニット２への可動状態において、側板３６ａ，３６ｂが支持板３８に固定されている箇所と反対側の側板３６ａ，３６ｂの端部がベースユニット２への２つの縁壁２５，２６に対して狭まるように変形可能である。この状態では、２つの爪３７ａ，３７ｂが２つの面２５ａ，２６ａを押圧する自然な付勢力に抗して、側板３６ａ，３６ｂの端部がベースユニット２への２つの縁壁２５，２６に対して狭まるように変形させるものである。すなわち、２つの爪３７ａ，３７ｂは、２つの面２５ａ，２６ａの間に挿入可能となるように第一の幅ｄより小さく狭めることが可能な弾性を有していて、２つの爪３７ａ，３７ｂがその第一の幅ｄより小さく狭められているときに保持アダプタ５は摺動方向に可動状態となる（図４Ｃ）。
【００２８】
図４Ｄは、別の形態の弾力生成部Ｑを示した図である。上記のとおり、支持板３８ａと支持板３８ｂとの間に弾力生成部Ｐを配置して、弾力生成部Ｐの変形により、側板３６ａ，３６ｂの向きを変化させるように説明したが、実施の形態２では、弾力生成部Ｑを、支持板３８ａと側板３６ａとの固定部と、支持板３８ｂと側板３６ｂとの固定部とに配置しても同様の効果が生じる（図４Ｄ）。
【符号の説明】
【００２９】
１  フィルタ保持装置
２  ベースユニット
３，５  保持アダプタ
４  フィルタ容器
２１  縁壁
２２  空間
２３  溝
２４  摺動面
２５，２６  縁壁
３１  アーム
３２ａ，３２ｂ  爪
３３ａ，３３ｂ  突起
３４ａ，３４ｂ  押さえ板
３５ａ，３５ｂ  弾性部材
３６ａ，３６ｂ  側板
３７ａ，２７ｂ  爪
３８ａ，３８ｂ  支持板
【図１】
2019166444.tif 000003
【図２Ａ】
2019166444.tif 000004
【図２Ｂ】
2019166444.tif 000005
【図２Ｃ】
2019166444.tif 000006
【図３】
2019166444.tif 000007
【図４Ａ】
2019166444.tif 000008
【図４Ｂ】
2019166444.tif 000009
【図４Ｃ】
2019166444.tif 000010
【図４Ｄ】
2019166444.tif 000011